(57)【特許請求の範囲】
【請求項１】
内視鏡スコープと、この内視鏡スコープにより収集された被検体の画像を表示する表示手段とが接続された内視鏡装置において、
前記内視鏡装置は、画像静止の指示に応じて前記表示手段に表示されている動画画像を静止状態とし、前記表示手段に静止画像を表示する画像静止手段と、
前記画像静止の指示の後に行われる第１の画像記録の指示に応じて前記静止画像を第１の記録媒体に記録する第１の記録手段と、
前記画像静止の指示の後に行われる第２の画像記録の指示に応じて前記静止画像を前記第１の記録媒体とは異なる第２の記録媒体に記録する第２の記録手段と、
前記第１の記録手段による記録後及び前記第２の記録手段による記録後それぞれにおいて、前記表示手段に表示された静止画像の静止状態を維持するか解除するか独立に設定可能な設定手段と、
を備えることを特徴とする内視鏡装置。
【請求項２】
前記第１の記録媒体は、フィルム又は電子記録媒体であり、前記第２の記録媒体は紙であり、前記設定手段は、前記第１の記録手段による記録後は静止状態を維持し、前記第２の記録手段による記録後は静止状態を解除するように設定するものであることを特徴とする請求項１記載の内視鏡装置。
【請求項３】
前記設定手段は、前記画像静止の指示なしに行われる前記第１の画像記録の指示又は前記第２の画像記録の指示に応じて前記表示手段に表示されている動画画像を静止状態とし前記表示手段に静止画像を表示した後、この静止画像を前記第１の記録媒体又は前記第２の記録媒体に記録後、静止状態を解除することを特徴とする請求項１又は２に記載の内視鏡装置。
【発明の詳細な説明】
【０００１】
【発明の属する技術分野】
本発明は、フリーズ像を記録した後にフリーズを維持するか解除するかを記録する機器（画像ファイリング装置、フィルム撮影用ユニット、カラープリンタ等）によって設定できる内視鏡装置及び内視鏡装置の画像記録方法に関する。
【０００２】
【従来の技術】
例えば、被検体の消化器官の画像を得るものとして内視鏡装置がある。この内視鏡装置は、図７に示すように、被検体の管腔部等に挿入される道中部１、先端部２、操作部３からなる内視鏡スコープ本体４と、この内視鏡スコープ４からの画像信号を取り込んで所定の処理を行った被検体の管腔部の内視鏡画像をＣＲＴ５に表示する画像処理装置６を備えている。
【０００３】
前述の内視鏡スコープ本体４の操作部３には、動画画像（リアル画像ともいう）を停止させて記録するためのフリーズボタン３ａ（ＦＲＥＥＺＥ）、カラープリンタにより紙へプリントアウトさせるためのプリントボタン３ｂ（ＰＲＩＮＴ）及びフィルム等への写真記録や種々の記憶媒体への電子的なファイリングのためのコピーボタン３ｃ（ＣＯＰＹ）等が設けれている。また、画像処理装置６には、内視鏡スコープ本体４からの画像信号に基づく画像をフィルム撮影するカメラユニット７が設けられている。
【０００４】
このような内視鏡装置においては、被検体の管腔部の画像を記録（ＰＲＩＮＴ、ＣＯＰＹ）に当たっては、画像処理装置６の記録制御モードは、一般に以下に説明する２種類の記録制御モードのいずれか一方が設定されている。
【０００５】
（ａ）フリーズ後にＰＲＩＮＴ（ＣＯＰＹ）コマンドの入力の場合は、記録後リアル画像に戻るようにする。
【０００６】
（ｂ）フリーズ後にＰＲＩＮＴ（ＣＯＰＹ）コマンドの入力の場合は、記録後フリーズ画像を維持するようにする。
【０００７】
また、リアル画像表示の時にＦＲＥＥＺボタン３ａが押されるとフリーズ状態となり、その状態でもう１度押されるとＦＲＥＥＺＥを解除する。
【０００８】
すなわち、ＦＲＥＥＺＥボタン３ａ、ＰＲＩＮＴボタン３ｂ、ＣＯＰＹボタン３ｃの操作によって、画像処理装置６は以下に説明する流れで管腔部の画像を記録制御することになる。
【０００９】
＜記録制御モードが（ａ）に設定されている場合＞
例えば、図８に示すように、管腔部のリアル画像（Ａｉ）をＰＲＩＮＴ（又はＣＯＰＹ）するときは、操作者は内視鏡スコープ本体４の操作部３のＦＲＥＥＺＥボタン３ａを押下する。この押下によって画像処理装置６においては、ＦＲＥＥＺＥコマンドを発生して図８の（ｂ）に示すフリーズ画像（Ａ０）を得てＣＲＴ５及びカメラユニット７の表示部（図示せず）に表示させる。
【００１０】
そして、操作者はＰＲＩＮＴボタン３ｂ（又はＣＯＰＹボタン３ｃ）を押下すると、画像処理装置６においては、ＰＲＩＮＴコマンド（又はＣＯＰＹコマンド）を発生する。このとき、記録制御モードの設定が「フリーズ後にＰＲＩＮＴ（ＣＯＰＹ）コマンドの入力の場合は、リアル画像に戻るように設定されている」ので、画像処理装置６はフリーズを自動的に解除して図８の（ｃ）に示すリアル画像（Ａｉ´）を得る。
【００１１】
しかし、リアル画像のままでは再び、ＰＲＩＮＴ（又はＣＯＰＹ）することはできないので再度、操作者はＦＲＥＥＺボタン３ａを押下して図８の（ｄ）に示すフリーズ画像（Ａ１）を得てプリント又はコピー記録していた。
【００１２】
そして、この記録の後に、自動的にフリーズが解除され、図９の（ｅ）に示すようにリアル画像（Ａｉ´´）を得ていた。
【００１３】
＜記録制御モードが（ｂ）に設定されている場合＞
例えば、図９に示すように、管腔部のリアル画像（Ａｉ）をＰＲＩＮＴ（又はＣＯＰＹ）するときは、操作者は内視鏡スコープ本体４の操作部３のＦＲＥＥＺＥボタン３ａを押下する。この押下によって画像処理装置６においては、ＦＲＥＥＺＥコマンドを発生して図９の（ｂ）に示すフリーズ画像（Ａ０）を得てＣＲＴ５及びカメラユニット７の表示部（図示せず）に表示させる。
【００１４】
そして、操作者はＰＲＩＮＴボタン３ｂ（又はＣＯＰＹボタン３ｃ）を押下すると、画像処理装置６においては、ＰＲＩＮＴコマンド（又はＣＯＰＹコマンド）を発生する。このとき、記録制御モードの設定が「フリーズ後にＰＲＩＮＴ（ＣＯＰＹ）コマンドの入力の場合は、フリーズ画像を維持するように設定されている」ので、画像処理装置６は図９（ｃ）に示すフリーズ画像Ａ０をそのまま維持する。
【００１５】
そして、操作者は図９の（ｃ）のフリーズ画像（Ａ０）を記録する場合は、ＣＯＰＹボタン３ｃ（又はＰＲＩＮＴボタン３ｂ）を押下する。記録後は図９の（ｄ）に示すようにフリーズ画像（Ａ０）が維持される。
【００１６】
そして、管腔部の内視鏡画像による検査を継続して行う場合は、フリーズ画像（Ａ０）のままでは検査を継続できないので、操作者は再度、ＦＲＥＥＺＥボタン３ａを押下してＦＲＥＥＺＥを解除して図９の（ｅ）に示すようにリアル画像（Ａｉ´）を得て検査を行っていた。
【００１７】
また、１人の患者に対する１検査では、ＰＲＩＮＴはコストが高いため数枚の記録が行われ、ＣＯＰＹは、数十枚の記録が行なわれるのが一般的である。
【００１８】
【発明が解決しようとする課題】
上記のような従来の内視鏡装置の記録制御モードは、上記の「（ａ）フリーズ後にＰＲＩＮＴ（ＣＯＰＹ）コマンドの入力の場合は、リアル画像に戻るようにする」か「（ｂ）フリーズ後にＰＲＩＮＴ（ＣＯＰＹ）コマンドの入力の場合は、フリーズ画像を維持するようにする」かのいずれかである。
【００１９】
つまり、（ａ）の記録制御モードにおいては、フリーズ画像を得た後にＣＯＰＹ、ＰＲＩＮＴコマンドに対する記録動作後は、自動的にフリーズが解除されてリアル画像になる。
【００２０】
このため、内視鏡スコープ本体で得た被検体の画像に対する検査を継続できることになるが、再度、記録（ＰＲＩＮＴ、ＣＯＰＹ）を要する際には、操作者は再度ＦＲＥＥＺＥボタンを押下してフリーズ画像を得なければならないという課題があった。
【００２１】
また、このフリーズ画像は、自動的にフリーズを解除した後のフリーズ画像であるから前回ＰＲＩＮＴ（ＣＯＰＹ）ボタンを押下して記録したときの画像とは多少の相違がある。すなわち、同じ画像をＰＲＩＮＴとＣＯＰＹの両方をしたいときに正確に同じ画像を記録させることができないので、検査に支障を来すという課題があった。
【００２２】
一方、（ｂ）の記録制御モードにおいては、フリーズ画像を得た後にＣＯＰＹ、ＰＲＩＮＴコマンドに対する記録動作後は、そのままフリーズを維持するので、同じ画像を、ＰＲＩＮＴとＣＯＰＹ両方により記録することは出来るが、記録後、再度、ボタンを押下して、フリーズを解除しなければリアル画像の検査を継続することができないという課題があった。
【００２３】
本発明は以上の課題を解決するためになされたもので、同じフリーズ画像を異なる記録装置に記録ができ、しかも、記録後リアル画像に戻すことができる内視鏡装置及び内視鏡装置の画像記録方法を得ることを目的とする。
【００２４】
【課題を解決するための手段】
本発明の内視鏡装置は、内視鏡スコープと、この内視鏡スコープにより収集された被検体の画像を表示する表示手段とが接続された内視鏡装置において、前記内視鏡装置は、画像静止の指示に応じて前記表示手段に表示されている動画画像を静止状態とし、前記表示手段に静止画像を表示する画像静止手段と、前記画像静止の指示の後に行われる第１の画像記録の指示に応じて前記静止画像を第１の記録媒体に記録する第１の記録手段と、前記画像静止の指示の後に行われる第２の画像記録の指示に応じて前記静止画像を前記第１の記録媒体とは異なる第２の記録媒体に記録する第２の記録手段と、前記第１の記録手段による記録後及び前記第２の記録手段による記録後それぞれにおいて、前記表示手段に表示された静止画像の静止状態を維持するか解除するか独立に設定可能な設定手段とを備えたことを要旨とする。
【００２６】
【発明の実施の形態】
図１は本実施の形態の内視鏡装置の概略構成図である。但し、この図１においては内視鏡スコープ本体６は図示しない。
【００２７】
図１に示す内視鏡装置１０の画像処理装置１１は、図示しない内視鏡スコープ本体６の固体撮像素子からの画像信号をテレビ信号（コンポジット信号、Ｒ、Ｇ、Ｂ信号あるいは画像処理のための目的に応じた信号）に変換する画像信号変換回路１３と、この画像信号変換回路１３からの信号をデジタル信号に変換し、これを後述する記憶部１５、出力インターフェース１６に送出する水平走査線１本以上のラインバッファを備えた入力インタフェース１４とを備えている。
【００２８】
また、１フレーム以上の記録容量を有し、入力インタフェース１４からのデジタル信号を１フィールドの単位で記憶する記憶部１５と、入力インタフェース１４からのデジタル信号又は記憶部１５から読み出した信号を取り込みこれをアナログ信号に変換する出力インタフェース１６とを備えている。
【００２９】
また、この出力インタフェース１６からのアナログ信号を表示するフィルム撮影カメラ用の表示部７と、出力インタフェース１６に接続された内視鏡画像観察用の表示部１９及びプリンタ２０とを備えている。尚、図示していないが、その他、電子的に記憶媒体に画像を記憶するファイリング装置が出力インタフェースに接続されていてもよい。
【００３０】
前述の表示部１９には、記録制御モード等を設定するためのプリセットメニュー画面２３も表示されるようになっている。このプリセットメニュー画面２３は少なくとも以下に説明する記録制御モードのいずれか又は全てを少なくとも備えている。
【００３１】
例えば、モード１は、
「フリーズ後にＣＯＰＹ記録後はそのままフリーズを維持する」
モード２は、
「フリーズ後にＣＯＰＹ記録後はリアルに戻す」
モード３は、
「フリーズ後にＰＲＩＮＴ記録後は、そのままフリーズを維持する」
モード４は、
「フリーズ後にＰＲＩＮＴ記録後はリアルに戻す」
という処理をさせるものであり、これらの組合せが設定される。このモード１及びモード２を本実施の形態ではＣＯＰＹ時の記録制御モードと称し、モード３及びモード４をＰＲＩＮＴ時の記録制御モードと称する。
【００３２】
さらに、本実施の形態の画像処理装置１１は、画像記録制御演算部２１を備えている。この画像記録制御演算部２１は、本実施の形態に係わるＰＲＩＮＴ時の記録制御モード、ＣＯＰＹ時の記録制御モードのいずれか又は両方が予め設定される。
【００３３】
ここで、例として、モード２とモード３が選択されていたとしてその作用を図２を参照して説明する。
【００３４】
図２の（ａ）に示すように、リアル画像（Ａｉ）を得ているときに、操作者がＦＲＥＥＺＥボタン３ａを押下すると画像記録制御演算部２１はＦＲＥＥＺＥコマンドを発生して図２の（ｂ）に示すフリーズ画像（Ａ０）を得る。そして、ＰＲＩＮＴボタン３ｃの押下によってＰＲＩＮＴコマンドを発生する。
【００３５】
このとき、モード３が選択されているので、ＰＲＩＮＴ記録後、図２の（ｃ）に示すように、フリーズ画像Ａ０をそのまま維持する。次に、ＣＯＰＹボタン３ｃの押下により、ＣＯＰＹが行なわれ、モード２が選択されているので、ＣＯＰＹ記録後はフリーズが解除され、図２（ｄ）のようにリアル画像Ａｉ´が得られる。
【００３６】
一方、ＰＲＩＮＴが必要ないときについて図３を参照して説明する。図３の（ａ）に示すように、リアル画像（Ａｉ）を得ているときに、操作者がＦＲＥＥＺＥボタン３ａを押下すると画像記録制御演算部２１はＦＲＥＥＺＥコマンドを発生して図３の（ｂ）に示すフリーズ画像（Ａ０）を得る。そして、ＣＯＰＹボタン３ｃの押下によってＣＯＰＹコマンドを発生する。
【００３７】
このとき、モード２が選択されているので、ＣＯＰＹ記録後図３の（ｃ）に示すように、フリーズが解除されリアル画像（Ａｉ´）が得られる。
【００３８】
さらに、フリーズされていないときにＰＲＩＮＴ又はＣＯＰＹボタンが押下されたときには、従来と同様に「自動的にフリーズ画像にして、この画像を記録後にリアル画像に戻す；モード５」も備えていてもよい。
【００３９】
すなわち、本実施の形態の画像記録制御演算部２１は、図４に示すようにＰＲＩＮＴ又はＣＯＰＹコマンドの入力かどうかを判定し（Ｓ４０１）、いずれかのコマンドが入力したときは、内視鏡スコープ本体６からのリアル画像Ａｉがフリーズ画像（Ａ０）にされたかどうかを判定する（Ｓ４０３）。
【００４０】
ステップＳ４０３において、フリーズ画像（Ａ０）にされていると判定したときは、ＣＯＰＹ、ＰＲＩＮＴにおける記録制御モードの判定を行う（Ｓ４０５）。
【００４１】
ステップＳ４０５において、記録制御モードがモード１又はモード３の場合は記録後（ＰＲＩＮＴ、ＣＯＰＹ）にフリーズ画像を維持し（Ｓ４０７）、モード２又はモード４の場合は記録後（ＰＲＩＮＴ、ＣＯＰＹ）にリアル画像（Ａｉ´）に戻す（Ｓ４０９）。
【００４２】
さらに、ステップＳ４０３において内視鏡スコープ本体６からのリアル画像Ａｉがフリーズ画像（Ａ０）にされていないと判定したときは、自動的にフリーズにした後に、そのフリーズ画像（Ａ０）を記録した後にリアル画像（Ａｉ´）に戻す（Ｓ４１３）。
【００４３】
なお、フリーズされていない時に、ＣＯＰＹ又はＰＲＩＮＴ指示があった場合でも記録後において、指定されている記録制御モードに従って処理を実行してもよい。
【００４４】
このような処理を実現するために、本実施の形態の画像記録制御装置２１は、図１に示すように記録画像モード設定手段２５と、設定モード判別手段２６と、第１のコマンド生成手段２７ａと、第２のコマンド生成手段２７ｂと、第３のコマンド生成手段２７ｃと現画像モード判別手段２８とを備えている。
【００４５】
記録画像モード判別手段２５は、操作キー部２４によって設定された記録制御モードを入力し、この記録制御モードに応じたフラグＦｉを設定モード判別手段２６に設定する。この記録画像モード判別手段２５についてはフローチャートを用いて後述する。
【００４６】
また、現画像モード判別手段２８は、記憶部１５からのフリーズ状態信号、フリー状態解除信号等を入力し、フリーズ状態信号のときは設定モード判別手段２６にリアル画像がフリーズ画像にされていることを示すフラグＥ１を設定し、フリーズ状態解除信号が入力したときは、フリーズ画像からリアル画像に戻されていることを示すフラグＥ２を設定する。
【００４７】
設定モード判別手段２６は、内視鏡スコープ本体６からのＣＯＰＹボタン３ｃの押下信号（以下ＣＯＰＹ指示信号という）、ＰＲＩＮＴボタン３ｂの押下信号（以下ＰＲＩＮＴ指示信号という）、ＦＲＥＥＺＥボタン３ａの押下信号（以下ＦＲＥＥＺＥ指示信号という）等を入力し、これらの指示信号と、記録画像モード設定手段２５によって設定された記録制御モードのフラグ状態Ｆｉと現画像モード判別手段２８によるフラグＥｉとによって、第１のコマンド生成手段２７ａ又は第２のコマンド生成手段２７ｂ若しくは第３のコマンド生成手段２７ｃのいずれかを起動させる。
【００４８】
例えば、ＰＲＩＮＴ（又はＣＯＰＹ）指示信号が入力したときに、現画像モード判別手段２８によってフラグＦ１、Ｆ３（モード１、３；フリーズ後にＰＲＩＮＴ（ＣＯＰＹ）記録後は、そのままフリーズを維持）が設定されている場合は、現在の画像をフリーズ状態にしていることを示すフラグＥ１が設定されているときに、第１のコマンド生成手段２７ａを起動させる。
【００４９】
また、ＣＯＰＹ（又はＰＲＩＮＴ）指示信号が入力したときに、現画像モード判別手段２８によってフラグＦ２、Ｆ４（モード２、３；フリーズ後にＣＯＰＹ（ＰＲＩＮＴ）が設定されている場合は、現在の画像をフリーズ状態にしていることを示すフラグＥ１が設定されているときに、第２のコマンド生成手段２７ｂを起動させる。
【００５０】
さらに、設定モード判別手段２６は、ＰＲＩＮＴ又はＣＯＰＹ指示信号が入力された場合に、記録画像モード設定手段２５によるフラグＦｉの設定が無く、かつ現画像判別モード判別手段２８によってフリーズ解除を示すフラグＥ２が設定されているときは、モード５（自動的にフリーズ画像にして、この画像を記録後にリアル画像に戻す）と判断して第３のコマンド生成手段２７ａを起動させる。
【００５１】
第１のコマンド生成手段２７ａは、起動に伴って記憶部１５に対してフリーズコマンド信号を送出してフリーズ画像を維持する。
【００５２】
第２のコマンド生成手段２７ｂは、起動に伴って、記憶部１５に対してフリーズ解除コマンド信号を送出する。
【００５３】
第３のコマンド生成手段２７ｃは、起動に伴ってフリーズコマンド信号を送出する。また、設定モード判別手段２６による起動によって記憶部１５にフリーズコマンド信号を送出した後に、記録が終了すると第２のコマンド生成手段２７ｂを起動させてリアル画像に戻す。
【００５４】
また、これらのコマンド生成手段は、ＣＯＰＹ指示信号の入力によってカメラユニット７にシャッタ信号を送出し、ＰＲＩＮＮＴ指示信号の入力によってプリンタ２０に印刷開始信号を送出している。
【００５５】
ここで、記憶部１５について説明を補充する。記憶部１５は、フリーズコマンド信号の入力に伴って、メモリ（図示せず）への画像信号の書き込みを中止し、１フレーム分又は数フレーム分のデータを保持してフリーズ状態の画像信号を送出する。
【００５６】
次に、フローチャートを用いて説明する。本実施の形態では、プリセットメニュー画面２３における記録制御モードは図５に示すように表示されているとする。
【００５７】
この図５における記録制御モードは「ＯＦＦ」が前述のモード２、４に対応し、「Ｃ」がモード１に対応する。また、「Ｐ」がモード３に対応し、「ＣＰ」がモード１、３に対応している。
【００５８】
すなわち、「ＯＦＦ」はフリーズ後はＣＯＰＹ、ＰＲＩＮＴ共に記録後にリアル画像にするモードであり、「Ｃ」はフリーズ後はＣＯＰＹのみ記録後にフリーズにするモードであり、「Ｐ」はフリーズ後はＰＲＩＮＴのみ記録後にフリーズにするモードである。
【００５９】
さらに、「ＣＰ」がフリーズ後はＣＯＰＹ、ＰＲＩＮＴ共に記録後にフリーズにするモードである。
【００６０】
これらの「ＯＦＦ」、「Ｃ」、「Ｐ」、「ＣＰ」は操作者の要求によって所望の組合せが選択される。
【００６１】
次に、「ＯＦＦ」、「Ｃ」、「Ｐ」、「ＣＰ」の記録制御モードを用いて図６のフローチャートに記録画像モード設定手段２５の処理を説明する。
【００６２】
初めに、記録画像モード設定手段２５は、プリセットメニュー画面２３におけるメニュー項目「４」が選択されたかどうかを判定する。すなわち、「ＯＦＦ」、「Ｃ」、「Ｐ」、「ＣＰ」が選択されたかどうかを判定する。
【００６３】
ステップＳ６０１において、メニュー項目「４」が選択と判定したときは、「ＯＦＦ」、「Ｃ」、「Ｐ」、「ＣＰ」の設定をリードする（Ｓ６０３）。
【００６４】
次に、このリード結果から「ＯＦＦ」が選択されているかどうかを判定する（Ｓ６０５）。ステップＳ６０５において、「ＯＦＦ」が選択されているときは、「フリーズ後はＣＯＰＹ、ＰＲＩＮＴ共に記録後にリアル画像にするモードにする」ためのフラグＦ２、Ｆ４を設定モード判別手段２６に設定する（Ｓ６０７）。
【００６５】
また、ステップＳ６０５において、「ＯＦＦ」の選択ではないと判定したときは「Ｃ」の選択かどうかを判定する（Ｓ６０９）。
【００６６】
ステップＳ６０９において、「Ｃ」と判定したときは、「フリーズ後はＣＯＰＹのみ記録後にフリーズにする」ためのモードにするためのフラグＦ１を設定する（Ｓ６０９）。
【００６７】
また、ステップＳ６０９において、「Ｃ」の選択ではないと判定したときは、「Ｐ」の選択かどうかを判定する（Ｓ６１３）。
【００６８】
ステップＳ６１３において、「Ｐ」の選択と判定したときは、「フリーズ後はＰＲＩＮＴのみ記録後にフリーズにするモードにする」ためのフラグＦ３を設定する（Ｓ６１５）。
【００６９】
ステップＳ６１３において「Ｐ」の選択ではないと判定したときは、「ＣＰ」の選択と判定し（Ｓ６１７）、「フリーズ後はＣＯＰＹ、ＰＲＩＮＴ共に記録後にフリーズ画像する」ためのフラグＦ１、Ｆ３を設定する（Ｓ６１９）。
【００７０】
これによって、どのような記録制御モードで画像記録制御演算部２１が動作するかが決定する。
【００７１】
なお、上記の実施の形態では、設定モード判別手段２６、記録画像モード設定手段２５を用いて、第１、第２のコマンド生成手段を選択起動させることによって、フリーズ後にＰＲＩＮＴ指示信号が入力したときは、フリーズを維持し、ＣＯＰＹ指示信号が入力したときはリアル画像に戻すいずれかの処理を選択するようにしたが、以下に説明するようにしてもよい。
【００７２】
設定モード判別手段２６、記録画像モード設定手段２５を設けないで、ＰＲＩＮＴ押下信号をコマンド生成手段が直接入力し、このコマンド生成手段が記憶部１５からのフリーズ状態、解除信号を入力して現在の画像の状態を監視し、フリーズ後にＰＲＩＮＴ指示信号が入力したとき、フリーズを維持するような画像記録制御演算部にしてもよい。
【００７３】
また、記録画像モード設定手段２５を設けないで、ＣＯＰＹ押下信号をコマンド生成手段が直接入力し、このコマンド生成手段が記憶部１５からのフリーズ状態、解除信号を入力して現在の画像の状態を監視し、フリーズ後にＣＯＰＹ指示信号が入力したとき、リアル画像に戻すような画像記録制御演算部にしてもよい。
【００７４】
尚、本発明においてはソフト的に図４に示した処理を実行するようにしてもよい。また、フィルム撮影用カメラユニットとプリンタの２つの記録装置について説明したが、その他の、電子ファイル装置が接続されている場合には、ＰＲＩＮＴ指示により、電子ファイル装置に記録されるようにしてもよい。
【００７５】
また、一般にプリンタでの記録はコストが高いため、ひんぱんには使われず、ＣＯＰＹでの記録はコストが安いためひんぱんに使用されるので、ＰＲＩＮＴ後はフリーズを解除せずＣＯＰＹ後フリーズを解除するように固定的に予め設定してもよい。
【００７６】
【発明の効果】
以上のように本発明によれば、フリーズ画像の記録後に、フリーズを解除するかどうか、記録装置毎に設定できるので、操作者の好みに合わせて、記録後にフリーズ画像又は動画像のいずれかを得ることできるので、検査効率が向上するという効果が得られる。よって、同じフリーズ画像を異なる記録装置に記録した後に自動的にフリーズを解除して、次の検査に移行するように設定することも可能であり、検査効率が向上する。
【図面の簡単な説明】
【図１】本実施の形態の内視鏡装置の概略構成図である。
【図２】本実施の形態におけるＰＲＩＮＴ時の記録制御モードの画像の推移を説明する説明図である。
【図３】本実施の形態におけるＣＯＰＹ時の記録制御モードの画像の推移を説明する説明図である。
【図４】本発明の画像記録制御演算部の動作概略を説明するフローチャートである。
【図５】本実施の形態の記録制御モードのための設定キーの具体例を説明する説明図である。
【図６】本実施の形態の図５の記録制御モードを用いたときの記録画像モード設定手段の動作を説明するフローチャートである。
【図７】従来における内視鏡装置の概略構成図である。
【図８】従来のフリーズ後のモード（ａ）における指示信号の入力による画面の推移を説明する説明図である。
【図９】従来のフリーズ後のモード（ｂ）における指示信号の入力による画面の推移を説明する説明図である。
【符号の説明】
６  内視鏡スコープ本体
１１  画像処理装置
１３  画像信号変換回路
１５  記憶部
１６  出力インターフェース
２１  画像記録制御演算部
２５  記録画像モード設定手段
２６  設定モード判別手段
２７ａ  第１のコマンド生成手段
２７ｂ  第２のコマンド生成手段
２７ｃ  第３のコマンド生成手段
２８  現画像モード判別手段
【図１】
0004568394.tif 000002
【図２】
0004568394.tif 000003
【図３】
0004568394.tif 000004
【図４】
0004568394.tif 000005
【図５】
0004568394.tif 000006
【図６】
0004568394.tif 000007
【図７】
0004568394.tif 000008
【図８】
0004568394.tif 000009
【図９】
0004568394.tif 000010